(57)【特許請求の範囲】
【請求項１】
投入された１以上の紙幣を順に繰り出す紙幣投入部と、
前記紙幣投入部に投入された前記紙幣を搬送する紙幣搬送部と、
前記紙幣の金種を認識して認識結果を得る認識部と、
前記紙幣を収納する入金庫と、
前記認識結果に基づいて前記入金庫に収納される前記紙幣の枚数を金種ごとの紙幣枚数として計数し、前記入金庫からの紙幣回収時において、前記入金庫から繰り出された紙幣の枚数を繰り出し枚数として計数する計数部と、
前記入金庫からの紙幣回収時において障害が発生した場合に、前記金種ごとの紙幣枚数の合計値と前記繰り出し枚数とに基づいて前記入金庫の残紙幣枚数を算出する算出部と、
前記残紙幣枚数を表示部に表示させる制御部と、
を備える、紙幣処理装置。
【請求項２】
前記計数部は、金種が認識されなかった紙幣の枚数を金種不明な紙幣枚数として計数し、
前記算出部は、前記入金庫からの紙幣回収時において障害が発生した場合に、前記金種ごとの紙幣枚数および前記金種不明な紙幣枚数の合計値と前記繰り出し枚数とに基づいて前記残紙幣枚数を算出する、
請求項１に記載の紙幣処理装置。
【請求項３】
前記制御部は、金種不明な紙幣枚数として前記残紙幣枚数を前記表示部に表示させ、金種ごとの紙幣枚数として零を前記表示部に表示させる、
請求項１に記載の紙幣処理装置。
【請求項４】
前記算出部は、前記入金庫からの紙幣回収時において障害が発生し、かつ、前記紙幣搬送部に紙幣が残留したことが検出された場合に、前記入金庫の残紙幣枚数を算出する、
請求項１に記載の紙幣処理装置。
【発明の詳細な説明】
【技術分野】
【０００１】
本発明は、紙幣処理装置に関するものである。
【背景技術】
【０００２】
昨今、紙幣を処理する紙幣処理装置が利用されている（例えば、特許文献１参照）。紙幣処理装置は、金融機関の営業店に訪れた顧客が取引を行うために利用され得る。また、紙幣処理装置は、金融機関の営業店に存在する係員が窓口において顧客から依頼された入出金を行うためにも利用され得る。かかる紙幣処理装置は、入出金用カセットおよび入金専用カセット（以下、単に「入金庫」とも言う。）を有する。入出金カセットは、出金時に紙幣の繰り出しを行うとともに、入金時に紙幣の収納を行う入出金用カセットを有する。一方、入金庫は、出金時に紙幣の繰り出しは行わず、入金時に紙幣の収納を行う。ただし、入金庫は、機能的には紙幣を分離する機能を有していてよい。
【０００３】
入金庫に収納されている紙幣の回収は、入金庫に収納される紙幣の枚数が所定の上限枚数（入金庫が収納可能な紙幣枚数）を超える前に行われるのが一般的である。これによって、入金庫に収納される紙幣の枚数が上限枚数を超えたことに起因した紙幣処理装置の運用停止を回避することが可能である。このとき、入金庫に収納されている紙幣枚数が表示されれば、オペレータは、表示された紙幣枚数を閲覧することによって、入金庫から紙幣の回収が必要か否かを判断することが可能である。
【０００４】
入金庫によって収納される紙幣の金種は、単一の場合もあれば複数の場合もあり得る。ここで、例えば、入金庫が複数の金種の紙幣を収納する場合、紙幣処理装置における計数部は、入金庫に収納される紙幣の枚数を金種ごとに計数しておくのが一般的である。以下では、入金庫に収納される金種ごとの紙幣枚数の計数結果を、単に「カウンタ」とも言う。このような計数がなされ、カウンタが表示されることによって、オペレータは、入金庫に収納されている紙幣枚数を金種ごとに把握することが可能である。
【先行技術文献】
【特許文献】
【０００５】
【特許文献１】特開２０１４−１５３８９９号公報
【発明の概要】
【発明が解決しようとする課題】
【０００６】
しかし、入金庫から繰り出された紙幣の枚数を金種ごとに計数できない場合には、入金庫から紙幣を回収している際に、紙幣処理装置に障害が発生した場合、カウンタが不定となってしまう。また、入金庫から繰り出された紙幣の金種が認識部によって認識されれば、入金庫から繰り出された紙幣の枚数を金種ごとに計数することが可能である。しかし、入金庫から繰り出された紙幣が認識部に到達する前に障害が発生した場合には、やはりカウンタが不定となってしまう。
【０００７】
さらに、上記したように、カウンタが不定になってしまうことによって、入金庫から紙幣を回収する動作を継続することが困難となり、紙幣処理装置の運用を継続することができなくなってしまう可能性がある。
【０００８】
そこで、本発明は、上記問題に鑑みてなされたものであり、本発明の目的とするところは、入金庫から紙幣を回収している際に、紙幣処理装置に障害が発生した場合であっても紙幣処理装置の運用を継続することが可能な技術を提供することにある。
【課題を解決するための手段】
【０００９】
上記問題を解決するために、本発明のある観点によれば、投入された１以上の紙幣を順に繰り出す紙幣投入部と、前記紙幣投入部に投入された前記紙幣を搬送する紙幣搬送部と、前記紙幣の金種を認識して認識結果を得る認識部と、前記紙幣を収納する入金庫と、前記認識結果に基づいて前記入金庫に収納される前記紙幣の枚数を金種ごとの紙幣枚数として計数し、前記入金庫からの紙幣回収時において、前記入金庫から繰り出された紙幣の枚数を繰り出し枚数として計数する計数部と、前記入金庫からの紙幣回収時において障害が発生した場合に、前記金種ごとの紙幣枚数の合計値と前記繰り出し枚数とに基づいて前記入金庫の残紙幣枚数を算出する算出部と、前記残紙幣枚数を表示部に表示させる制御部と、を備える、紙幣処理装置が提供される。
【００１０】
前記計数部は、金種が認識されなかった紙幣の枚数を金種不明な紙幣枚数として計数し、前記算出部は、前記入金庫からの紙幣回収時において障害が発生した場合に、前記金種ごとの紙幣枚数および前記金種不明な紙幣枚数の合計値と前記繰り出し枚数とに基づいて前記残紙幣枚数を算出してよい。
【００１１】
前記制御部は、金種不明な紙幣枚数として前記残紙幣枚数を前記表示部に表示させ、金種ごとの紙幣枚数として零を前記表示部に表示させてよい。
【００１２】
前記算出部は、前記入金庫からの紙幣回収時において障害が発生し、かつ、前記紙幣搬送部に紙幣が残留したことが検出された場合に、前記入金庫の残紙幣枚数を算出してよい。
【発明の効果】
【００１３】
以上説明したように本発明によれば、入金庫から紙幣を回収している際に、紙幣処理装置に障害が発生した場合であっても紙幣処理装置の運用を継続することが可能となる。
【図面の簡単な説明】
【００１４】
【図１】本発明の一実施形態に係る紙幣処理装置の機能構成例を示すブロック図である
【図２】搬送部の詳細構成例を示すブロック図である。
【図３】紙幣回収前におけるカウンタの例を示す図である。
【図４】紙幣回収動作の例を示すフローチャートである。
【図５】更新後のカウンタの例を示す図である。
【図６】計数結果（カウンタ）の表示例を示す図である。
【図７】算出結果（残紙幣枚数）の表示例を示すである。
【発明を実施するための形態】
【００１５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１６】
まず、本発明の一実施形態に係る紙幣処理装置１０の機能構成例について説明する。図１は、本発明の一実施形態に係る紙幣処理装置１０の機能構成例を示すブロック図である。例えば、紙幣処理装置１０は、オペレータ（例えば、金融機関の営業店に訪れた顧客、金融機関の営業店に存在する係員など）による操作に基づいて、金銭の取引を実行する装置であってよい。また、紙幣処理装置１０は、金融機関の営業店などに設置されてよい。
【００１７】
図１に示すように、紙幣処理装置１０は、制御部１１０、記憶部１２０、紙幣投入部１３０、紙幣受取部１４０、搬送部１５０、一時保留部１６０、入出金用カセット１７０、入金庫１８０および表示入力部１９０を有する。
【００１８】
制御部１１０は、紙幣処理装置１０の動作全般を制御する。具体的には、制御部１１０は、入金処理、出金処理、補充処理、回収処理などの基本処理を制御する。例えば、制御部１１０は、搬送部１５０による紙幣の搬送と、シャッタ（不図示）の開閉動作とを制御する。
【００１９】
記憶部１２０は、紙幣処理装置１０が動作するためのプログラムや各種データなどを記憶する。なお、制御部１１０および記憶部１２０が有する機能は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などから成るハードウェア構成により実現してもよい。
【００２０】
例えば、ＣＰＵは、演算機能および制御機能を有し、各種プログラムに従って紙幣処理装置１０の動作全般を制御する。ＲＯＭは、ＣＰＵが使用するプログラムや演算パラメータなどを記憶する。ＲＡＭは、ＣＰＵの実行において使用するプログラムや、その実行において適宜変化するパラメータなどを一時記憶する。
【００２１】
紙幣投入部１３０は、オペレータによって紙幣が投入される投入口である。紙幣投入部１３０には、開口部を開閉するシャッタ（不図示）が設けられてよい。また、紙幣投入部１３０は、束で投入された紙幣を一枚ずつ分離して搬送部１５０に繰り出す分離機能を有していてよい。なお、紙幣投入部１３０は、搬送部１５０側に傾くことや、オペレータによる取り出し口側に傾くことが可能な可動式であってもよい。
【００２２】
紙幣受取部１４０は、オペレータが受け取る紙幣が排出される排出口である。紙幣受取部１４０には、開口部を開閉するシャッタ（不図示）が設けられてよい。また、紙幣受取部１４０は、排出する紙幣を集積する集積機能を有していてよい。なお、紙幣受取部１４０は、搬送部１５０側に傾くことや、オペレータによる取り出し口側に傾くことが可能な可動式であってもよい。
【００２３】
搬送部１５０は、紙幣を目的の搬送先に搬送するための各種機能を有している。図２は、搬送部１５０の詳細構成例を示すブロック図である。図２に示すように、搬送部１５０は、センサ１５１、紙幣搬送部１５２、認識部１５３、計数部１５４、算出部１５５、入出力部１５６、記憶制御部１５７およびメモリ１５８を有する。
【００２４】
紙幣搬送部１５２は、紙幣を搬送する機能を有している。紙幣の搬送には、対向して当接する複数のローラの間に紙幣を挟んで送出する機構が用いられてよい。紙幣搬送部１５２は、駆動モータ（不図示）によって駆動され得る。駆動モータ（不図示）は、例えば、ＤＣサーボモータまたはパルスモータによって構成されており、かかるモータが回転することにより紙幣搬送部１５２を駆動する。
【００２５】
センサ１５１は、例えば、光学センサなどであってよく、様々な状態を検出する。例えば、センサ１５１は、紙幣投入部１３０および紙幣受取部１４０における紙幣の集積状態（例えば、集積枚数、紙幣が抜き取られたか否かなど）を検出する。また、センサ１５１は、紙幣搬送部１５２における紙幣の搬送状態（例えば、紙幣の詰まりなど）を検出し得る。また、センサ１５１は、入金庫１８０の出入口付近を通過する紙幣を検出することによって、入金庫１８０からの紙幣の繰り出しおよび入金庫１８０への紙幣の収納を検出することが可能である。
【００２６】
認識部１５３は、１枚ずつ搬送される紙幣の認識を行う。認識部１５３は、搬送される紙幣の認識を行うことができる。具体的には、認識部１５３は、紙幣搬送部１５２によって搬送された紙幣の金種、真偽、正損および走行状態などを鑑別し、搬送される紙幣に対して、正常判定または異常判定を行う。異常判定（リジェクト判定）は、真偽、正損（汚損、損壊、外形異常など）、走行異常（スキュー紙幣、重走など）といった要因に基づいて行われる。また、異常紙幣（以下、「リジェクト紙幣」とも言う。）は、出金紙幣として取り扱えない二千円札および五千円札を含んでもよいし、外国紙幣を含んでもよい。
【００２７】
計数部１５４は、認識部１５３により得られた認識結果に基づいて、入金庫１８０に収納される紙幣枚数を金種ごとに計数する。上記したように、入金庫に収納される金種ごとの紙幣枚数の計数結果を、単に「カウンタ」とも言う。より具体的には、計数部１５４は、入金庫１８０に収納される各金種の紙幣枚数を初期値に設定し、センサ１５１によって入金庫１８０への紙幣の収納が検出されるたびに、その金種の紙幣枚数に１を加算することによって、入金庫１８０に収納される紙幣枚数を金種ごとに計数する。
【００２８】
また、計数部１５４は、入金庫１８０からの紙幣回収時において、入金庫１８０から繰り出された紙幣の枚数を繰り出し枚数として計数する。より具体的には、計数部１５４は、繰り出し枚数を零に設定し、センサ１５１によって入金庫１８０からの紙幣の繰り出しが検出されるたびに、繰り出し枚数に１を加算することによって、入金庫１８０からの繰り出し枚数を計数する。
【００２９】
算出部１５５は、入金庫１８０からの紙幣回収時において障害が発生した場合に、カウンタの合計値と繰り出し枚数とに基づいて、入金庫１８０の残紙幣枚数を算出する。より具体的には、算出部１５５は、入金庫１８０からの紙幣回収時において障害が発生した場合に、カウンタの合計値から繰り出し枚数を減じることによって、入金庫１８０の残紙幣枚数を算出する。ここで、紙幣回収時において発生する障害は、入金庫１８０から繰り出された紙幣の搬送を停止させる障害であれば特に限定されない。
【００３０】
メモリ１５８は、搬送部１５０の内部における演算のために各種データを記憶することが可能である。例えば、記憶制御部１５７は、センサ１５１によって検出されたデータをメモリ１５８に記憶させる。また、記憶制御部１５７は、必要に応じて、センサ１５１によって検出されたデータをメモリ１５８から取り出して、計数部１５４に出力したり、算出部１５５に出力したりする。また、記憶制御部１５７は、カウンタをメモリ１５８に記憶させたり、カウンタをメモリ１５８から取り出したりする。
【００３１】
入出力部１５６は、計数部１５４による計数結果を制御部１１０に出力することが可能である。一例として、入出力部１５６は、カウンタを制御部１１０に出力することが可能である。また、入出力部１５６は、算出部１５５による算出結果を制御部１１０に出力することが可能である。一例として、入出力部１５６は、入金庫１８０の残紙幣枚数を制御部１１０に出力することが可能である。
【００３２】
図１に戻って説明を続ける。表示入力部１９０は、オペレータからの操作の入力を受け付けることが可能な入力装置（例えば、タッチパネルなど）を含む。一例として、表示入力部１９０は、入金庫１８０からの紙幣回収開始の指示の入力を受け付けることが可能である。また、表示入力部１９０は、制御部１１０による制御に従って、各種データの表示を行うことが可能な表示装置（例えば、液晶ディスプレイなど）を含む。一例として、表示入力部１９０は、計数結果および算出結果を表示することが可能である。図６に、計数結果（カウンタ）の表示例を示す。図６を参照すると、金種ごとの紙幣枚数（「金種１」〜「金種４」および「金種不明」それぞれに対応する紙幣枚数）が計数結果（カウンタ）の例として示されている。また、図７に、算出結果（残紙幣枚数）の表示例を示す。図７を参照すると、金種不明な紙幣枚数（「金種不明」に対応する紙幣枚数）が残紙幣枚数の例として示されている。その他、金種ごとの紙幣枚数（「金種１」〜「金種４」それぞれに対応する紙幣枚数）が計数結果（カウンタ）の例として示されている。
【００３３】
一時保留部１６０は、紙幣の分離と収納の両方の機能を有する。例えば、一時保留部１６０は、入金時に紙幣投入部１３０から分離されて認識部１５３により正常と認識された紙幣を一時的に収納する。一時保留部１６０に収納された紙幣は、取引が成立した場合（例えば、入金した紙幣の口座計上が確定した場合）などに繰り出され、認識部１５３を経て入出金用カセット１７０または入金庫１８０に搬送される。なお、一時保留部１６０の収納形式は、紙幣を順次重ねて集積する集積式であってもよいし、紙幣を順次巻いて収納するドラム式であってもよい。
【００３４】
入出金用カセット１７０は、紙幣を金種毎に収納可能であり、紙幣の収納および分離の両方の機能を有する。入出金用カセット１７０は、単一の紙幣カセットであってもよいし、複数の紙幣カセットであってもよい。また、入出金用カセット１７０が複数のカセットを有する場合、同一金種の紙幣を収納する二つ以上の紙幣カセットを有してもよい。また、入出金用カセット１７０は、紙幣処理装置１０に対して着脱可能な構造になっていてよい。
【００３５】
入金庫１８０は、紙幣を収納する収納機能を有する。例えば、入金庫１８０は、入出金用カセット１７０が収納する紙幣とは異なる紙幣を収納する。より具体的には、入金庫１８０は、認識部１５３によって認識された金種の紙幣を収納可能な入出金用カセット１７０が存在しない場合に、その紙幣を収納する。また、入金庫１８０は、紙幣処理装置１０に対して着脱可能な構造になっていてよい。なお、入金庫１８０は、機能的には紙幣を分離する機能を有していてよい。
【００３６】
以上に説明したように、本発明の一実施形態に係る紙幣処理装置１０によれば、入金庫１８０から紙幣を回収している際に、紙幣処理装置１０に障害が発生した場合、カウンタが不定となってしまうことがなくなる。したがって、入金庫１８０から紙幣を回収している際に、紙幣処理装置１０に障害が発生した場合であっても紙幣処理装置１０の運用を継続することが可能となる。
【００３７】
また、上記では、金種が認識される場合を説明したが、金種が認識されない場合も生じ得る。そこで、計数部１５４は、金種が認識されなかった紙幣の枚数を金種不明な紙幣枚数として計数してもよい。そして、算出部１５５は、入金庫１８０からの紙幣回収時において障害が発生した場合に、金種ごとの紙幣枚数および金種不明な紙幣枚数の合計値と繰り出し枚数とに基づいて残紙幣枚数を算出してもよい。
【００３８】
より具体的には、算出部１５５は、入金庫１８０からの紙幣回収時において障害が発生した場合に、金種ごとの紙幣枚数および金種不明な紙幣枚数の合計値から繰り出し枚数を減じることによって、入金庫１８０の残紙幣枚数を算出してもよい。このように金種が認識されない場合も考慮することが可能である。
【００３９】
また、上記では、残紙幣枚数を表示入力部１９０に表示させることについて説明した。残紙幣枚数の具体的な表示については、限定されない。一例として、入金庫１８０に残っている紙幣の金種は認識されていないため、制御部１１０は、金種不明な紙幣枚数として残紙幣枚数を表示入力部１９０に表示させ、金種ごとの紙幣枚数として零を表示入力部１９０に表示させてよい。
【００４０】
また、上記では、算出部１５５が、入金庫１８０からの紙幣回収時において障害が発生した場合に、入金庫１８０の残紙幣枚数を算出する例を説明した。しかし、紙幣搬送部１５２に紙幣が残留したことが検出された場合にのみ残紙幣枚数が算出されてもよい。すなわち、算出部１５５は、入金庫１８０からの紙幣回収時において障害が発生し、かつ、紙幣搬送部１５２に紙幣が残留したことがセンサ１５１によって検出された場合に、入金庫１８０の残紙幣枚数を算出してもよい。あるいは、入金庫１８０からの紙幣回収時に常に、算出部１５５は、紙幣残枚数を算出し、制御部１１０は、紙幣残枚数を表示入力部１９０に表示させてもよい。
【００４１】
以上、図１および図２を参照しながら、紙幣処理装置１０が有する機能について説明した。続いて、紙幣処理装置１０における取引ごとの紙幣の流れについて説明する。上記したように、取引には、入金、収納、出金および回収などといった動作が含まれ得る。以下、入金、収納、出金および回収の順に紙幣処理装置１０の動作の流れを説明する。
【００４２】
まず、紙幣処理装置１０の入金時における紙幣の流れを説明する。入金時においては、オペレータによって紙幣投入部１３０に投入された紙幣が１枚ずつ紙幣搬送部１５２によって認識部１５３に搬送される。認識部１５３によってリジェクト紙幣であると認識された紙幣は、紙幣受取部１４０に搬送される。紙幣受取部１４０に搬送された紙幣は、紙幣投入部１３０に再度投入されることによって、認識部１５３によって再度認識され得る。
【００４３】
一方、認識部１５３によって正常であると認識された紙幣は、一時保留部１６０に搬送され、一時保留部１６０によって一時的に収納される。入金動作が終わると、紙幣処理装置１０を制御する上位システム（不図示）によって入金金額が表示される。入金金額をオペレータが確認すると、上位システム（不図示）の収納開始指示に従って、紙幣処理装置１０の動作が入金動作から収納動作に移行される。
【００４４】
続いて、収納動作時においては、一時保留部１６０に収納された紙幣が１枚ずつ紙幣搬送部１５２によって認識部１５３に搬送される。ここで、認識部１５３による認識結果が正常である旨を示す場合、かつ、認識部１５３によって認識された金種と一致する金種が設定された入出金用カセット１７０が存在しない場合には、当該紙幣は紙幣搬送部１５２によって入金庫１８０に搬送される。
【００４５】
一方、認識部１５３による認識結果が正常である旨を示す場合、かつ、認識部１５３によって認識された金種と一致する金種が設定された入出金用カセット１７０が存在する場合には、当該紙幣はその入出金用カセット１７０に搬送される。
【００４６】
なお、一時保留部１６０に紙幣が収納された後、上位システム（不図示）の返却（キャンセル）指示に従って、紙幣処理装置１０の動作が入金動作から返却動作に移行されてもよい。かかる場合、一時保留部１６０に収納された紙幣は、１枚ずつ紙幣搬送部１５２によって認識部１５３に搬送され、認識部１５３による認識結果に関わらず、紙幣搬送部１５２によって紙幣受取部１４０に搬送されてよい。
【００４７】
続いて、紙幣処理装置１０の出金時における紙幣の流れを説明する。出金時においては、入出金用カセット１７０のうち指定金種が設定された紙幣カセットから指定枚数の紙幣が１枚ずつ分離されて紙幣搬送部１５２によって認識部１５３に搬送される。認識部１５３による認識結果がリジェクト紙幣である旨を示す場合は、当該紙幣は紙幣搬送部１５２によって入金庫１８０に搬送される。一方、認識部１５３による認識結果が正常である旨を示す場合は、当該紙幣は紙幣搬送部１５２によって紙幣受取部１４０に搬送される。
【００４８】
続いて、紙幣処理装置１０の紙幣回収時における動作の一例を説明する。図３は、紙幣回収前におけるカウンタの例を示す図である。入金動作によって入金庫１８０に紙幣が収納されると、図３に示すように、入金庫１８０に収納される金種ごとの紙幣枚数が計数される。図３を参照すると、金種ＩＤ「１」〜「４」それぞれの紙幣の紙幣枚数が計数されている。すなわち、入出金用カセットが４つ存在する場合を想定している。また、「金種不明」の紙幣の紙幣枚数が計数されている。このとき、金種ごとの紙幣枚数は、図６に示したように表示されてよい。
【００４９】
かかる状況において紙幣回収が行われることを想定する。図４は、紙幣回収動作の例を示すフローチャートである。表示入力部１９０によって、オペレータからの紙幣回収開始の指示が受け付けられると（Ｓ３００）、制御部１１０は、搬送部１５０に対して、入金庫１８０の紙幣回収指示を出す（Ｓ３０１）。搬送部１５０においては、入出力部１５６によって紙幣回収指示が受け付けられると、紙幣搬送部１５２が、紙幣の繰り出しを行い（Ｓ３０２）、紙幣受取部１４０に紙幣が集積される。
【００５０】
ここで、Ｎ枚の紙幣が入金庫１８０から繰り出された後に、搬送時ジャム（紙幣搬送部１５２における紙幣の詰まり）が発生した結果、紙幣搬送部１５２による紙幣の搬送が停止し、不定枚数の紙幣が紙幣搬送部１５２に残ったとする。このとき、障害が検出され、センサ１５１によって搬送時ジャムが検出されると（Ｓ３０３）、算出部１５５は、カウンタの合計値から繰り出し枚数を減じることによって、入金庫１８０の残紙幣枚数を算出する。
【００５１】
ここで、算出部１５５は、カウンタの合計値を「１００枚＋２００枚＋３０枚＋４０枚＋５０枚＝４２０枚」として算出する（図３参照）。また、計数部１５４は、繰り出し枚数をＮ枚として計数する。したがって、算出部１５５は、入金庫１８０の残紙幣枚数を「４２０枚−Ｎ枚」と算出する。
【００５２】
続いて、制御部１１０は、カウンタを更新する（Ｓ３０４）。図５は、更新後のカウンタの例を示す図である。図５に示すように、制御部１１０は、金種不明な紙幣枚数を残紙幣枚数「４２０枚−Ｎ枚」で更新し、金種ごとの紙幣枚数を「０枚」で更新する。このとき、制御部１１０は、金種不明な紙幣枚数として残紙幣枚数「４２０枚−Ｎ枚」を表示入力部１９０に表示させ、金種ごとの紙幣枚数として「０枚」を表示入力部１９０に表示させてよい（図７）。
【００５３】
続いて、搬送部１５０における入出力部１５６は、紙幣搬送部１５２における紙幣の詰まりが生じたことを示す障害状態通知を制御部１１０に出力する（Ｓ３０５）。制御部１１０は、かかる障害状態通知を受け取ると、紙幣搬送部１５２からの紙幣除去指示を表示入力部１９０に表示させる（Ｓ３０６）。紙幣除去指示を閲覧したオペレータが、紙幣搬送部１５２から紙幣を除去し（Ｓ３０７）、搬送部１５０における入出力部１５６が制御部１１０からリセット指示を受けると（Ｓ３０８）、搬送部１５０は、リセット処理を行う（Ｓ３０９）。
【００５４】
リセット処理が終了すると、搬送部１５０における入出力部１５６は、制御部１１０にリセット終了通知を出力する（Ｓ３１０）。また、制御部１１０は、リセット終了通知を受け取ると、搬送部１５０にカウンタ通知指示を出力する（Ｓ３１１）。搬送部１５０においては、入出力部１５６によって、カウンタ通知指示が受け取られると、記憶制御部１５７によってメモリ１５８からカウンタが取得され、入出力部１５６によってカウンタが制御部１１０に通知される（Ｓ３１２）。制御部１１０は、カウンタを受け取ると、表示入力部１９０に表示させる（Ｓ３１３）。
【００５５】
以上、本発明の一実施形態に係る紙幣処理装置１０について説明した。本発明の一実施形態に係る紙幣処理装置１０によれば、入金庫１８０から紙幣を回収している際に、紙幣処理装置１０に障害が発生した場合、カウンタが不定となってしまうことがなくなる。したがって、入金庫１８０から紙幣を回収している際に、紙幣処理装置１０に障害が発生した場合であっても紙幣処理装置１０の運用を継続することが可能となる。
【００５６】
また、オペレータは、入金庫１８０から紙幣を回収している際に、紙幣処理装置１０に障害が発生した場合であっても入金庫１８０に残されている紙幣枚数を確認することが可能となる。したがって、オペレータは、入金庫１８０からの紙幣回収を再開すべきか否かを判断し、紙幣回収を再開した場合に紙幣回収に要する時間を把握することが可能となるため、紙幣回収の作業効率を向上させることが期待される。
【００５７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５８】
例えば、紙幣処理装置１０の動作全体を制御するための制御部１１０は、専用のハードウェアによって構成されてもよいし、紙幣処理装置１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【００５９】
また、本発明の一実施形態に係る紙幣処理装置１０は、職員操作型端末に適用されてもよいし、顧客操作型端末であって、紙幣を還流させる（リサイクルさせる）タイプのＡＴＭに代表される自動取引装置の現金処理部に適用されてもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【００６０】
１０    紙幣処理装置
１１０  制御部
１２０  記憶部
１３０  紙幣投入部
１４０  紙幣受取部
１５０  搬送部
１５１  センサ
１５２  紙幣搬送部
１５３  認識部
１５４  計数部
１５５  算出部
１５６  入出力部
１５７  記憶制御部
１５８  メモリ
１６０  一時保留部
１７０  入出金用カセット
１８０  入金庫
１９０  表示入力部
【図１】
0006500647.tif 000002
【図２】
0006500647.tif 000003
【図３】
0006500647.tif 000004
【図４】
0006500647.tif 000005
【図５】
0006500647.tif 000006
【図６】
0006500647.tif 000007
【図７】
0006500647.tif 000008